(57)【要約】【課題】耕耘抵抗を低減しつつ、砕土性能の向上を図ることができる耕耘爪を提供する。【解決手段】農作業機１は、トラクタの後部に連結する機体２と、耕耘作業をする耕耘体６と、整地作業をする整地体17とを備える。耕耘体６は、回転軸体11と、この回転軸体11に取り付ける複数の耕耘爪15とを有する。各耕耘爪15は、平面状の基端側板部31と、この基端側板部31に連設した曲面状の中間板部32と、この中間板部32に連設した平面状の先端側板部33とを備える。中間板部32は、その曲率半径が回転方向前端側から回転方向後端側に向かって徐々に減少している。【選択図】図１
2015133921.tif 000002
【特許請求の範囲】
【請求項１】
回転軸体に取り付けられ、前記回転軸体とともに回転する耕耘爪であって、
前記回転軸体に取り付けられる平面状の基端側板部と、
この基端側板部に連設された曲面状の中間板部と、
この中間板部に連設された平面状の先端側板部とを備え、
前記中間板部は、その曲率半径が回転方向前端側から回転方向後端側に向かって徐々に減少する形状に形成されている
ことを特徴とする耕耘爪。
【請求項２】
少なくとも先端側板部の回転方向前端部には、刃縁部分が形成されている
ことを特徴とする請求項１記載の耕耘爪。
【請求項３】
全体形状が平面視く字形状である
ことを特徴とする請求項１または２記載の耕耘爪。
【請求項４】
回転軸体と、
この回転軸体に取り付けられた請求項１ないし３のいずれか一の複数の耕耘爪と
を具備することを特徴とする農作業機。
【発明の詳細な説明】
【技術分野】
【０００１】
本発明は、回転軸体に取り付ける耕耘爪および農作業機に関するものである。
【背景技術】
【０００２】
従来、例えば特許文献１に記載された耕耘爪が知られている。
【０００３】
この従来の耕耘爪は、取付基部と、縦刃部と、横刃部とを有し、縦刃部から横刃部にかけて回転方向と逆向きに湾曲されているとともに、横刃部が一側方に湾曲されている。また、横刃部の折曲開始部分が取付基部を通る鉛直線からの水平爪長さ方向の半分よりやや先端側寄りまたは半分とされて縦刃部の刃縁部が横刃部の刃縁部より長くされているか若しくはほぼ同じ長さとされている。さらに、横刃部の一側方への湾曲が一定の曲率半径で湾曲されている。
【先行技術文献】
【特許文献】
【０００４】
【特許文献１】特開平９−２９８９０３号公報
【発明の概要】
【発明が解決しようとする課題】
【０００５】
しかしながら、上記従来の耕耘爪では、一定の曲率半径で曲げられているため、砕土性能と耕耘抵抗の面からみると、それら２つのうちどちらか一方に片寄った性能しか出すことができない。
【０００６】
本発明は、このような点に鑑みなされたもので、耕耘抵抗を低減しつつ、砕土性能の向上を図ることができる耕耘爪および農作業機を提供することを目的とする。
【課題を解決するための手段】
【０００７】
請求項１記載の耕耘爪は、回転軸体に取り付けられ、前記回転軸体とともに回転する耕耘爪であって、前記回転軸体に取り付けられる平面状の基端側板部と、この基端側板部に連設された曲面状の中間板部と、この中間板部に連設された平面状の先端側板部とを備え、前記中間板部は、その曲率半径が回転方向前端側から回転方向後端側に向かって徐々に減少する形状に形成されているものである。
【０００８】
請求項２記載の耕耘爪は、請求項１記載の耕耘爪において、少なくとも先端側板部の回転方向前端部には、刃縁部分が形成されているものである。
【０００９】
請求項３記載の耕耘爪は、請求項１または２記載の耕耘爪において、全体形状が平面視く字形状であるものである。
【００１０】
請求項４記載の農作業機は、回転軸体と、この回転軸体に取り付けられた請求項１ないし３のいずれか一の複数の耕耘爪とを具備するものである。
【発明の効果】
【００１１】
本発明によれば、耕耘抵抗を低減しつつ、砕土性能の向上を図ることができる。
【図面の簡単な説明】
【００１２】
【図１】本発明の第１の実施の形態に係る耕耘爪を具備した農作業機の側面図である。
【図２】同上耕耘爪の斜視図である。
【図３】同上耕耘爪の正面図である。
【図４】同上耕耘爪の平面図である。
【図５】同上耕耘爪の底面図である。
【図６】本発明の第２の実施の形態に係る耕耘爪の斜視図である。
【図７】同上耕耘爪の正面図である。
【図８】同上耕耘爪の平面図である。
【図９】同上耕耘爪の底面図である。
【図１０】本発明の第３の実施の形態に係る耕耘爪の斜視図である。
【図１１】同上耕耘爪の正面図である。
【図１２】同上耕耘爪の平面図である。
【図１３】同上耕耘爪の底面図である。
【発明を実施するための形態】
【００１３】
本発明の第１の実施の形態について図１ないし図５を参照して説明する。
【００１４】
図中の１は農作業機で、この農作業機１は、例えば走行車であるトラクタ（図示せず）の後部に連結され、そのトラクタの前進走行により水田等の圃場を前方（進行方向）に移動しながら農作業である耕耘整地作業等をするものである。
【００１５】
農作業機１は、図１に示されるように、トラクタの後部の３点リンク部（作業機昇降装置）に脱着可能に連結される機体２を備えている。
【００１６】
機体２は、左右方向中央部にミッションケース部３を有し、このミッションケース部３には、トラクタ側からの動力を入力する入力軸４が回転可能に設けられている。なお、入力軸４は、トラクタのＰＴＯ軸にジョイントを介して接続される。
【００１７】
機体２は、左右両側にチェーンケース部５およびブラケット部（図示せず）を有し、これらチェーンケース部５およびブラケット部間には、入力軸４側からの動力によって所定方向に回転しながら耕耘作業をするロータリー式の耕耘体６が回転可能に設けられている。
【００１８】
耕耘体６は、左右方向の回転中心軸線Ｘを中心として回転する左右方向長手状の耕耘軸である回転軸体11を有し、この回転軸体11は、その左端部がチェーンケース部５にて回転可能に支持されかつその右端部がブラケット部（図示せず）にて回転可能に支持されている。回転軸体11は、例えば丸軸状の回転軸部12と、この回転軸部12の外周側に軸方向に間隔をおいて突設された鍔状の複数のフランジ部（被取付部）13とにて構成されている。
【００１９】
そして、回転軸体11の各フランジ部13には、回転軸体11とともに所定方向（矢印で示す回転方向）に回転しながら耕耘作業をする複数の耕耘爪15が脱着可能に取り付けられている。なお、耕耘体６は、回転軸体11と耕耘爪15とにて構成されている。
【００２０】
また、農作業機１は、耕耘体６の上方部を覆う湾曲板状のカバー体16を備えている。そして、カバー体16の後端部には、耕耘体６の後方で整地作業をする整地体17が上下方向に回動可能に設けられている。
【００２１】
整地体17は、上端部が蝶番18を介してカバー体16の後端部に回動可能に連結された均平板19を有している。均平板19の左右方向両端部には、折り畳み可能な延長均平板20が取り付けられている。
【００２２】
さらに、農作業機１は、耕耘体６の前方に位置するゲージ輪21を備えている。ゲージ輪21は、機体２の前フレーム部22に装着されたゲージ輪ホルダ23に高さ位置調整可能に取り付けられている。
【００２３】
ここで、耕耘爪15は、例えば金属材料によって幅一定の曲板状に一体に形成されたもので、その全体形状が平面視く字形状（略く字形状を含む）である（図４参照）。
【００２４】
そして、図２ないし図５にも示されるように、耕耘爪15は、回転軸体11のフランジ部13に取付具（図示せず）にて脱着可能に取り付けられ、回転軸体11の回転中心軸線Ｘに対して直交する平面（仮想直交面）に沿って位置する平面状の基端側板部（縦刃部）31と、この基端側板部31の先端に回転方向に対して側方に突出するように一体に連設され、正面視台形状（略台形状を含む）をなす曲面状である湾曲面状の中間板部32と、この中間板部32の先端に一体に連設され、回転軸体11の回転中心軸線Ｘに対して傾斜する平面（仮想傾斜面）に沿って位置する平面状の先端側板部（横刃部）33とを備えている。なお、耕耘爪15をフランジ部13に取り付けるための取付具は、例えばボルトおよびナット等である。
【００２５】
また、基端側板部31に沿った平面ａと先端側板部33に沿った平面ｂとがなす角度θは、例えば５０〜７０°、好ましくは６０°である（図４参照）。なお、基端側板部31は平面ａに略沿って位置するものでもよく、また、先端側板部33は平面ｂに略沿って位置するものでもよい。
【００２６】
そして、基端側板部31は、例えば正面視で四角形状をなす形状に形成されている。基端側板部31の基端部には、複数、例えば２つの円形の取付用孔34が内外面に貫通して形成されている。なお、基端側板部31の基端部が、回転軸体11のフランジ部13に取り付けられる取付部分35となっている。
【００２７】
中間板部32は、例えば内方に向かって凹の湾曲面状のもので、その曲率半径が回転方向前端側（刃縁側）から回転方向後端側（峰側）に向かって徐々に減少する形状に形成されている。中間板部32は、耕耘爪15のうち、曲げ開始直線Ｓと曲げ終了直線Ｅとの間に位置する部分である。
【００２８】
中間板部32の回転方向前端縁（刃縁側の端縁）32aの曲率半径である最大曲率半径Ｒmaxは、例えば１００〜１５０ｍｍ、好ましくは１３０ｍｍである。中間板部32の回転方向後端縁（峰側の端縁）32bの曲率半径である最小曲率半径Ｒminは、例えば８０〜１００ｍｍ、好ましくは９０ｍｍである。なお、例えばＲmaxは、Ｒminの１．２〜１．５倍（好ましくは１．４倍）である。
【００２９】
また、平面視で、中間板部32の円弧状の回転方向前端縁32aの内面が、中間板部32の円弧状の回転方向後端縁32bの内面よりも内方に位置している（図４参照）。
【００３０】
先端側板部33は、例えば正面視で四角形状をなす形状に形成されている。先端側板部33の回転方向前端部には、厚さ寸法が回転方向に向かって徐々に減少する先薄状の刃縁部分36が形成されている。
【００３１】
刃縁部分36は、先端側板部33の回転方向前端部における基端側から先端側にわたって形成されている。刃縁部分36は、例えば先端側板部33の回転方向前端部の内面側の一部が切り欠かれて形成されている。なお、刃縁部分36は、先端側板部33の回転方向前端部のみに形成されており、中間板部32および基端側板部31には形成されていない。
【００３２】
次に、上記農作業機１の作用等を説明する。
【００３３】
農作業機１をトラクタの後部に連結し、その農作業機１をトラクタの前進走行により前方に移動させると、耕耘体６の各耕耘爪15が、回転軸体11とともに所定の回転方向に向かって回転しながら耕耘作業をし、その後方で、整地体17が整地作業をして圃場面を平らに整地する。
【００３４】
この際、耕耘爪15の中間板部32の回転方向前端側においては、その曲率半径が大きいため、耕耘抵抗が低減する。また、耕耘爪15の中間板部32の回転方向後端側においては、その曲率半径が小さいため、砕土性能が向上する。
【００３５】
したがって、このような農作業機１によれば、耕耘抵抗を低減しつつ、砕土性能の向上を図ることができる。
【００３６】
なお、前記実施の形態では、刃部である刃縁部分36が、先端側板部33の回転方向前端部の内面側（曲率半径の中心が存在する側である内側）の一部が切り欠かれて形成された構成について説明したが、例えば図６ないし図９に示す第２の実施の形態のように、刃縁部分36が、先端側板部33の回転方向前端部の外面側（曲率半径の中心が存在しない側である外側）の一部が切り欠かれて形成された構成でもよい。
【００３７】
また、前記実施の形態では、刃部である刃縁部分36が、先端側板部33の回転方向前端部のみに形成された構成について説明したが、少なくとも先端側板部33の回転方向前端部に形成されていればよく、例えば図１０ないし図１３に示す第３の実施の形態のように、刃縁部分36が、先端側板部33の回転方向前端部および中間板部32の回転方向前端部に形成された構成でもよい。
【００３８】
つまり、この第３の実施の形態では、刃縁部分36は、中間板部32の回転方向前端部における基端側（例えば曲げ開始直線Ｓの近傍位置）から先端側板部33の回転方向前端部における先端側にわたって形成されている。また、この刃縁部分36は、回転方向前端部の内面側（内側）の一部が切り欠かれて形成されているが、外面側（外側）の一部を切り欠いて形成してもよい。
【００３９】
なお、例えば図示しないが、刃縁部分36を先端側板部33、中間板部32および基端側板部31に形成してもよい。
【符号の説明】
【００４０】
１    農作業機
11    回転軸体
15    耕耘爪
31    基端側板部
32    中間板部
33    先端側板部
36    刃縁部分
【図１】
2015133921.tif 000003
【図２】
2015133921.tif 000004
【図３】
2015133921.tif 000005
【図４】
2015133921.tif 000006
【図５】
2015133921.tif 000007
【図６】
2015133921.tif 000008
【図７】
2015133921.tif 000009
【図８】
2015133921.tif 000010
【図９】
2015133921.tif 000011
【図１０】
2015133921.tif 000012
【図１１】
2015133921.tif 000013
【図１２】
2015133921.tif 000014
【図１３】
2015133921.tif 000015